(57)【要約】  懐中電灯(１６)等の用具(１２)を、緊急簡易ベッド等の対象物(１４)に取外し可能に取り付けて位置合わせするホルダー(１０)及びそのための方法が開示される。ホルダーは、対象物への迅速な取付けを容易にするためのベース(２０)及び弾性保持ストラップ(２２)を含む。ホルダーは、更に、用具のハンズフリーの位置合わせを任意の所望の方向において容易にするための弾性押さえ部材(５６，５８)を含む。【選択図】図２
2010500516.tif 000002
【特許請求の範囲】
【請求項１】
取外し可能に用具を対象物に取り付けるホルダーであって、
ベース部材、対象物からホルダーの迅速解放を容易にすると共に前記ベース部材と対象物の間に第一摩擦界面をもたらす第一迅速解放機構、及び前記第一迅速解放機構から独立して前記ホルダーから用具の迅速解放を容易にすると共に前記ベース部材と用具の間に第二摩擦界面をもたらす第二迅速解放機構を含み、
前記第一摩擦界面は、前記対象物に対するベース部材の相対的回転位置を手動で調整することができるように、手動で克服可能であり、
前記第二摩擦界面は、前記ベース部材に対する用具の方向を手動で調整することができるように手動で克服可能である、前記ホルダー。
【請求項２】
前記第一迅速解放機構は弾性部材と少なくとも１つの留め柱とを含む請求項１に記載のホルダー。
【請求項３】
前記第二迅速解放機構は少なくとも１つの弾性部材を含む請求項１に記載のホルダー。
【請求項４】
前記用具は懐中電灯である請求項１に記載のホルダー。
【請求項５】
前記対象物は緊急簡易ベッドである請求項１に記載のホルダー。
【請求項６】
前記第一迅速解放機構は弾性部材及び環状面を有する一対の留め柱を含む請求項１に記載のホルダー。
【請求項７】
前記第一迅速解放機構は弾性部材及び一対の留め柱を含み、前記留め柱は、長方形、卵形、円形、及び三角形から選ばれる形状である、請求項１に記載のホルダー。
【請求項８】
前記第一迅速解放機構は弾性部材及び一対の留め柱を含み、前記留め柱の各々は、湾曲面、窪み、部分的な湾曲面、及び平坦面から選ばれる形状表面を有する、請求項１に記載のホルダー。
【請求項９】
前記ベース部材は、一片の細長い材料を含み、第一の側面に湾曲面を備え、該第一の側面と対向する側面に比較的平坦な表面を備える、請求項１に記載のホルダー。
【請求項１０】
前記第一迅速解放機構は弾性部材及び一対の留め柱を含み、前記ベース部材は第一の側面に湾曲面を備え、該第一の側面に隣接した第二の側面に前記留め柱が設けられ、前記第一の側面に隣接した第三の側面に前記弾性部材が設けられる、請求項１に記載のホルダー。
【請求項１１】
前記ベース部材は、成形材料からなり、対象物の曲率半径と一致した曲率半径の湾曲面を備える、請求項１に記載のホルダー。
【請求項１２】
前記ベース部材は、ポリマー、木材、金属、合金、繊維材料、及び複合材料より選ばれる材料からなる、請求項１に記載のホルダー。
【請求項１３】
前記第二迅速解放機構は一対の弾性押さえ部材である、請求項１に記載のホルダー。
【請求項１４】
前記第二迅速解放機構は交差状に設けられた一対の弾性押さえ部材である、請求項１に記載のホルダー。
【請求項１５】
前記第二迅速解放機構は平行状に設けられた一対の弾性押さえ部材である、請求項１に記載のホルダー。
【請求項１６】
前記第二迅速解放機構は、各々の直径が３．１７５〜６．３５ｍｍの範囲にある一対の弾性押さえ部材である、請求項１に記載のホルダー。
【請求項１７】
前記第一及び第二迅速解放機構は、緩衝ひも、ゴムチューブ、ゴムバンド、バネ、及びこれらの組合せより選ばれる材料からなる、請求項１に記載のホルダー。
【請求項１８】
前記第一迅速解放機構は弾性部材及び一対の留め柱を含み、前記ベース部材は、第一の側面に湾曲面を備え、該第一の側面に隣接した第二の側面に前記留め柱が設けられ、前記第一の側面に隣接した第三の側面に前記弾性部材が設け、前記第二迅速解放機構は、前記第二の側面に取り付けられた第一の端部及び前記第三の側面に取り付けられた第二の端部を有する一対の弾性押さえ部材である、請求項１に記載のホルダー。
【請求項１９】
取外し可能に用具を対象物に取り付けるホルダーであって、
ベース部材、弾性部材及び留め柱を含むと共に対象物からホルダーの迅速解放を容易にし且つ前記ベース部材と対象物の間に第一摩擦界面をもたらす第一迅速解放機構、及び一対の弾性押さえ部材を含むと共に前記第一迅速解放機構から独立して前記ホルダーから用具の迅速解放を容易にし且つ前記ベース部材と用具の間に第二摩擦界面をもたらす第二迅速解放機構を含み、
前記第一摩擦界面は、前記弾性部材と前記留め柱の間での係止を解除することなく、対象物に対する前記ベース部材の相対的回転位置を手動で調整することができように、手動で克服可能とされ、
前記第二摩擦界面は、前記ベース部材に対する用具の方向を手動で調整することができるように手動で克服可能とされる、前記ホルダー。
【請求項２０】
用具を対象物に固定する方法であって、
ベース部材、弾性保持ストラップ、留め柱、及び弾性押さえ部材を含むホルダーを用意する段階と、
前記弾性保持ストラップを対象物の一部に巻き付けると共に、前記弾性保持ストラップを前記留め柱に解放可能に取り付けて、前記ベース部材を対象物に解放可能に取り付ける段階と、
前記用具を前記弾性押さえ部材で解放可能に保持して、前記弾性押さえ部材が前記ベース部材と用具の間に第二摩擦界面をもたらす段階と、を含み、
前記弾性保持ストラップは、前記留め柱に取り付けられるとき、前記留め柱を弾性張力下に置くと共に前記対象物と前記ベース部材の間に第一摩擦界面をもたらし、
前記第一摩擦界面は、前記留め柱から前記弾性張力を解除することなく、対象物に対する前記ベース部材の相対的回転位置を手動で調整することができるように、手動で克服可能とされ、
前記第二摩擦界面は、前記ベース部材に対する用具の方向を手動で調整することができるように、手動で克服可能とされる、前記方法。
【発明の詳細な説明】
【技術分野】
【０００１】
本発明は、一般に用具（tool）を対象物（object）に保持する装置に関し、より詳細には、懐中電灯等の用具を緊急簡易ベッド等の対象物に取外し可能に取り付けるホルダー及びその方法に関する。
【背景技術】
【０００２】
仕事を安全かつ正確に遂行するために、しばしば、手を使わないで対象物又はある領域に光を直接当てる必要性又は要求がある。両手を自由にするために、懐中電灯の使用者は、懐中電灯を適当に手に持とうと様々の数多くの試みを講じる。これらの試みには、懐中電灯をある支持体にもたせ掛ける、懐中電灯を使用者の腕、頭、若しくは脚の間に保持する、又は、多くの場合懐中電灯を口にくわえる等がある。懐中電灯を保持するこれらの試みは、一般に不便であり、使用者の行動を制限し、安定した方法で懐中電灯を支え切れない。その結果、懐中電灯を頻繁に落としたり、時には懐中電灯を損傷したり、又は、懐中電灯の使用者を不安定な状況に置くことになる。
【発明の概要】
【発明が解決しようとする課題】
【０００３】
本発明が、懐中電灯等の用具を緊急簡易ベッド等の対象物に取外し可能に取り付けて位置合わせするホルダー及びその方法を提供するのは、上述の背景技術においてである。ホルダーは、ベース及び弾性保持ストラップを含み、対象物への迅速な取付けを容易にする。ホルダーは、更にコーディング（cording）を含み、あらゆる好ましい方向に用具のハンズフリー（hands-free：手が自由に使える）位置合わせを容易にする。
【課題を解決するための手段】
【０００４】
一実施の形態において、取外し可能に用具を対象物に取り付けるホルダーが開示される。ホルダーは、ベース部材と、対象物からホルダーの迅速解放（quick release）を容易にする第一迅速解放機構とを含む。第一迅速解放機構は、ベース部材と対象物の間に第一摩擦界面をもたらし、第一摩擦界面は手動で克服（overcome）可能とされるので、対象物に対するベース部材の相対的回転位置を手動で調整することができる。ホルダーは、また、第一迅速解放機構から独立して、ホルダーから用具の迅速解放を容易にする第二迅速解放機構を含む。第二迅速解放機構は、ベース部材と用具の間に第二摩擦界面をもたらし、第二摩擦界面は、手動で克服可能とされるので、ベース部材に対する用具の方向（orientation）を手動で調整することができる。
【０００５】
別の実施の形態において、取外し可能に用具を対象物に取り付けるホルダーは、ベース部材と、弾性部材及び留め柱（bollards）を含む第一迅速解放機構とを含む。第一迅速解放機構は、対象物からホルダーの迅速解放を容易にし且つベース部材と対象物の間に第一摩擦界面を提供し、弾性部材と留め柱の間での係止を解除することなく、対象物に対するベース部材の相対的回転位置を手動で調整することができるように、第一摩擦界面は手動で克服可能とされる。ホルダーは、また、一対の弾性押さえ部材を含む第二迅速解放機構を含む。第二迅速解放機構は、第一迅速解放機構から独立して、ホルダーから用具の迅速解放を容易にし且つベース部材と用具の間に第二摩擦界面を提供し、ベース部材に対する用具の方向を手動で調整することができるように、第二摩擦界面は手動で克服可能とされる。
【０００６】
更に別の実施の形態において、用具を対象物に固定する方法が開示される。この方法は、ベース部材、弾性保持ストラップ、留め柱、及び弾性押さえ部材（elastic retainer）を備えたホルダーを用意する段階と、弾性保持ストラップを対象物の一部に巻き付けると共に、弾性保持ストラップを留め柱に解放可能に取り付けて、ベース部材を対象物に解放可能に取り付ける段階と、を含む。このように取り付けられると、弾性保持ストラップにより留め柱が弾性張力の下に置かれて、対象物とベース部材の間に第一摩擦界面をもたらし、第一摩擦界面は手動で克服可能とされるので、留め柱から弾性張力を解除することなく、対象物に対するベース部材の相対的回転位置を手動で調整することができる。
【０００７】
前記方法は、更に、用具を弾性押さえ部材で解放可能に保持する段階を含む。弾性押さえ部材は、ベース部材と用具の間に第二摩擦界面をもたらし、第二摩擦界面は手動で克服可能とされるので、ベース部材に対する用具の方向を手動で調整することができる。
【０００８】
本発明のシステムのその他の利点は、以下の詳細な説明から明確になるであろう。以下に、添付の図面を参照して本発明をより詳細に説明する。
本発明を一例として説明するが、同様の構成要素には同じ参照番号を付している添付の図面に、本発明は限定されるものではない。
【図面の簡単な説明】
【０００９】
【図１】本発明に係る組み立てられたホルダーの前面側面斜視図（front, side perspective view）である。
【図２】本発明に係る対象物に解放可能に取り付けられた図１に示すホルダーの前面側面斜視図である。
【図３】本発明に係る対象物に解放可能に取り付けられて懐中電灯を解放可能に保持する、図２に示すホルダーの前側面斜視図である。
【図４】本発明に係る急患用簡易ベッドに解放可能に取り付けられた図３に示すホルダーの側面図である。
【図５】本発明に係る種々の留め柱の設計を有する別のホルダーの実施例の上面図である。
【図６】平行様式の一対の押さえ部材を有する本発明に係る別のホルダーの実施例の部分上面図である。
【発明を実施するための形態】
【００１０】
図１〜図６を参照すると、本発明は、全体として符号１２で示される用具を全体として符号１４で示される対象物に、取外し可能に保持するホルダー１０に関する。一実施の形態において、用具１２は懐中電灯であり、対象物１４は緊急簡易ベッドである。別の実施の形態において、用具１２はホルダー１０により解放可能に保持され得るいかなる従来の物体であってもよく、対象物１４は、本明細書に記載のように、ホルダーが解放可能に取付けできるいかなる物体であってもよい。図示された図３，４の実施例において、懐中電灯１６は、“単３”又は“単４”電池を収納すると共に光源を一端部に備えた管状の構造物からなる。懐中電灯１６は、標準的ものであって、ホルダー１０への解放可能な取付け及びその作用を示すために挙げられているにすぎない。
【００１１】
図１を参照すると、ホルダー１０は、ベース部材２０、弾性部材すなわち保持ストラップ２２、及び留め柱２４を含む。図２に示すように、留め柱２４付きの保持ストラップ２２は、解放可能にベース部材２０を対象物１４に取り付ける役目を果たす。保持ストラップ２２は、対象物１４の一部の周りに巻き付き、弾性張力の下に留め柱２４により所定の場所に解放可能に保持される。一実施の形態において、留め柱２４は環状であり、別の実施の形態では、留め柱は、弾性保持ストラップ２２を解放可能に保持できる他のいかなる形状であってもよい。図５に図示するように、かかる留め柱２４の形状としては、長方形２８、卵形３０、三角形３２、自由形状３４等を挙げることができるが、これらに限定されるものではない。
【００１２】
一実施の形態において、各留め柱２４は形状表面２６を有する。一実施の形態において、形状表面２６は、凹面等の湾曲面をなし、別の実施の形態では、窪み３６による部分的な湾曲面３８でも、あるいは平坦面４０であってもよい。一実施の形態において、形状表面２６が留め柱の全側面を周回し、別の実施の形態では、その一部の周りにのみ形状表面２６を設けてもよい。
【００１３】
ベース部材２０は、図３に示すように、ホルダー１０及び懐中電灯１６の双方を支持する従来のある対象物１４に、ホルダー１０を取外し可能に載せる役目を果たす。保持ストラップ２２が図２に示すように対象物１４及び留め柱２４の周りに位置すると、保持ストラップ２２は弾性張力の下に維持されるため、摩擦接触／界面が、対象物１４とベース部材２０の間及び対象物１４と保持ストラップ２２の接触部分の間に維持されるであろう。この摩擦界面は次のようなものである。即ち、対象物１４に対するベース部材２０の相対的回転位置が維持されるであろう。だが、摩擦界面を手動で無効にさせて、留め柱２４から保持ストラップ２２を解放させることなく、対象物１４に対するベース部材２０の相対的回転位置を手動で変更させることができる。
【００１４】
ベース部材２０は、一片の細長い材料から形成され、図１に最も良く示されるように、第一の側面に湾曲面４２を及び対向する側面に比較的平坦な表面４４を備える。湾曲面４２に隣接した側面５０に留め柱２４が設けられ、留め柱に対向する側面５２には、弾性保持ストラップ２２がベース部材２０に取り付けられる。湾曲面４２には対向する対象物１４の湾曲面が密着し、その端部は脚部４６，４８として機能して、ホルダー１０を対象物１４の平坦面に支持する。
【００１５】
一実施の形態におけるベース部材２０は、例えば、限定されるものではないが、耐衝撃性の高いプラスチック材料等の成形ポリマーからなる。ベース部材２０は、曲率半径が簡易ベッド１８の側部管状フレーム部材５４の形状と一致した湾曲面４２を備える。別の実施の形態において、ベース部材は、例えば、限定されるものではないが、木材、金属、合金、繊維材料、複合材料等のあらゆる好適な材料を、例えば、切断、成形、穴開け等で加工して、所望の形状に形づくられてもよい。
【００１６】
用具１２を解放可能に保持するために、ホルダー１０には一対の弾性部材すなわち押さえ部材５６，５８を備える。図１に示すように、押さえ部材５６，５８の第一端部が留め柱２４と同じ側面に取り付けられ、その第二端部は保持ストラップ２２と同じ側面に取り付けられる。従って、押さえ部材５６，５８は平坦面４４の全長にまたがる。
【００１７】
図示の実施例において、一対の弾性押さえ部材５６，５８は、交差状に設けられ、別の実施の形態では、図６に示すように平行状に設けられてもよい。一対の弾性押さえ部材５６，５８は、懐中電灯１６等の用具１２を押さえ部材５６，５８の下側へ滑入配置して、押さえ部材を用具の周りに伸長させ得るような大きさである。
【００１８】
弾性押さえ部材５６，５８の一方又は双方が、図３に示すように、懐中電灯１６等の用具１２の周りに位置すると、弾性押さえ部材５６，５８は弾性張力の下にあるため、摩擦接触／界面が、用具１２とベース部材２０の間及び用具１２と弾性押さえ部材５６，５８の接触部分の間に維持されるであろう。この摩擦界面は次のようなものである。即ち、ベース部材２０に対する用具１２の相対的方向／回転位置が維持されるであろう。だが、摩擦界面を手動で無効にさせて、ベース部材２０に対する用具１２の相対的方向／回転位置を手動で変更させることができる。
【００１９】
ホルダーの作用はベース部材２０に及ぼす前記弾性部材２２，５６，５８の付勢力であって、この付勢力はホルダー１０とそれぞれ対象物１４及び用具１２との間の摩擦界面を支配するので、弾性保持ストラップ２２及び弾性押さえ部材５６，５８の双方の特性は、ホルダー１０の作用に影響を与える。例えば、ホルダー１０と用具１２の間の摩擦界面は十分に大きいはずであるので、懐中電灯１６等の用具１２の重量により用具１２を回転させるには不十分である。しかし、前記摩擦界面は使用者が手動で摩擦界面の作用に打ち勝てないほど大きくはないため、使用者は用具の方向を手動で調整できる。
【００２０】
更に、ホルダー１０と対象物１４の間の摩擦界面は十分に大きいはずであるので、懐中電灯１６等の用具１２の重量により対象物１４の周りにベース部材２０を回転させるには不十分である。しかし、前記摩擦界面は使用者が手動で摩擦界面の作用に打ち勝てないほど大きくはないため、留め柱２４から保持ストラップ２２を解放させなくても、使用者はベース部材２０の相対的回転位置を手動で調整できる。弾性保持ストラップ２２及び弾性押さえ部材５６，５８として、広範な種類の弾性部材を用いることができるものの、一実施の形態では、直径が３.１７５mm〜６.３５mm（１/８インチ〜１/４インチ）の範囲にある緩衝ひもが、満足できるものであることが判明している。別の実施の形態では、弾性部材２２，５６，５８は、ゴムチューブ、ゴムバンド、バネ、又はこれらの組合せであってもよい。
【００２１】
以上の点から見て、本発明のホルダー１０は、弾性保持ストラップ２２及び留め柱２４の形態で第一迅速解放機構を提供して、対象物からホルダーの迅速解放を容易にすることが、認識されるはずである。更に、ホルダー１０は、押さえ部材５６，５８の形態で第二迅速解放機構を含み、第一迅速解放機構から独立して、ホルダー１０から用具１２の迅速解放を容易にすることが、認識されるはずである。第二迅速解放機構は、また、用具１２が懐中電灯である場合の実施の形態において、ハンズフリーの懐中電灯の操作と直ぐに取外しできる懐中電灯の使用との双方を容易にすることが、更に認識されるはずである。
【００２２】
本発明の典型的な以上の説明及び好ましい具体例が、図面で明らかにされ、様々な変更例と教示される代替の実施の形態とを用いて詳細に説明されてきた。本発明をそのように図示し、説明し、図解してきたけれど、本発明の精神及び範囲から逸脱することなく、形態及び細部の均等な変更を本発明において行うことができ、先行技術により排除される場合を除き、本発明の範囲が特許請求の範囲のみに限定されることは、当業者ならば当然のことであろう。更に、本明細書に開示された特定の構成要素が欠如しても、本明細書に開示された通り本発明を適切に実施することができる。
【図１】
2010500516.tif 000003
【図２】
2010500516.tif 000004
【図３】
2010500516.tif 000005
【図４】
2010500516.tif 000006
【図５Ａ】
2010500516.tif 000007
【図５Ｂ】
2010500516.tif 000008
【図５Ｃ】
2010500516.tif 000009
【図５Ｄ】
2010500516.tif 000010
【図６】
2010500516.tif 000011
【国際調査報告】
2010500516.tif 000012
2010500516.tif 000013